(57)【特許請求の範囲】
【請求項１】
遺体の肛門に挿入されて内部に留まり、直腸内汚物が肛門から体外への漏出するのを防ぐ遺体の体腔封止装置であって、
アクリル繊維で形成された芯材である内層及びこれを囲繞するように形成された高吸水性外層を有する２層構造の水膨潤性繊維からなる筒状成形体と、
上記筒状成形体の外面を被覆する水溶性シートと、
上記水溶性シートの外面を被覆する潤滑剤層とからなり、
遺体の肛門に挿入された後に、上記水溶性シートが体液に接触して溶けるとともに、上記筒状成形体の水膨潤性繊維が体液を吸収して直径が５倍以上となるまで膨潤することにより、筒状成形体が肛門内壁に密着して該肛門を封止し直腸内汚物の漏出を防ぐように構成されていることを特徴とする遺体の体腔封止装置。
【請求項２】
水膨潤性繊維は、内層がアクリロニトロ系重合体からなり外層が親水性架橋重合体からなるとともに、５〜２００ｃｃ／ｇの水膨潤度を有していることを特徴とする請求項１記載の遺体の体腔封止装置。
【請求項３】
筒状成形体の先端が先細に形成され、少なくとも該先細部に水溶性シートが被覆され、その水溶性シートの外面に潤滑剤が被覆されていることを特徴とする請求項１又は２記載の遺体の体腔封止装置。
【請求項４】
筒状成形体は、長さが略２０〜略８０ｍｍであって、直径が略１０〜略２５ｍｍであることを特徴とする請求項１ないし３のいずれか１項に記載の遺体の体腔封止装置。
【請求項５】
水溶性シートは、厚さ略２００μｍ以下であり、体液に接触すると速やかに溶けるシートであることを特徴とする請求項１ないし４のいずれか１項に記載の遺体の体腔封止装置。
【請求項６】
潤滑剤が水溶性シートの外面に塗布されていることを特徴とする請求項１ないし５のいずれか１項に記載の遺体の体腔封止装置。
【発明の詳細な説明】
【０００１】
【発明の属する技術分野】
この発明は、人間の体腔からの体内物質の遺漏防止および遺漏に伴う周囲への汚染・感染を防止するための体腔封止装置に関し、特に肛門から出る体内物質の遺漏防止および遺漏に伴う周囲への汚染・感染を防止するための体腔封止装置に関する。
【０００２】
【従来の技術】
一般に、人間は死後、体腔各部の筋肉が弛緩し、体腔内の汚物が遺漏することが多い。特に肛門については、肛門筋が弛緩し、肛門が開口することにより、内部の汚物が遺漏することが多い。このことに対して、従来より、膨大な脱脂綿を死後硬直の起こる前に、体腔特に肛門に詰めるようにしている。
【０００３】
この作業の多くは看護婦等の手によって行われる事が多く、その作業の煩雑さや不衛生さと同時に作業従事中に、この遺漏物質による死後感染の可能性もあり、その解決が強く求められている。しかし、今まで、それに対する対策は、前記従来例以外には皆無であった。
【０００４】
【発明が解決しようとする課題】
そこで本発明は、上記の問題点を解決し、死後、肛門の周辺筋肉の弛緩による体腔内物質の遺漏を防ぎ、この遺漏防止のための作業に従事する従業者あるいは看護人の作業の簡素化を図り、従業者、看護人や周囲の者への体内物質遺漏による感染を防止できる衛生的な体腔封止装置を提供することにある。
【０００５】
特に、死後、肛門筋が弛緩して起こる直腸内汚物の遺漏を防いで、この遺漏防止作業に従事する従業者あるいは看護人の作業の簡素化を図り、従業者、看護人や周囲への体内物質遺漏による感染を防止できる衛生的な直腸栓を開発することにある。
【０００６】
本発明の第１の目的は、人体の肛門に体腔封止部材を挿入し、そこからの遺漏を防止することにある。即ち、肛門弛緩によって直腸内汚物が肛門より遺漏することや、そのような体内物質遺漏による周囲の者への感染を防止する。
【０００７】
本発明の第２の目的は、体腔封止装置が体腔に挿入された後、該体腔封止装置が吸水して直径方向に膨潤して、体腔内壁への密着度を向上させることにある。
【０００８】
【課題を解決するための手段】
請求項１記載の発明は、遺体の肛門に挿入されて内部に留まり、直腸内汚物が肛門から体外への漏出するのを防ぐ遺体の体腔封止装置であって、アクリル繊維で形成された芯材である内層及びこれを囲繞するように形成された高吸水性外層を有する２層構造の水膨潤性繊維からなる筒状成形体と、上記筒状成形体の外面を被覆する水溶性シートと、上記水溶性シートの外面を被覆する潤滑剤層とからなり、遺体の肛門に挿入された後に、上記水溶性シートが体液に接触して溶けるとともに、上記筒状成形体の水膨潤性繊維が体液を吸収して直径が５倍以上となるまで膨潤することにより、筒状成形体が肛門内壁に密着して該肛門を封止し直腸内汚物の漏出を防ぐように構成されていることを特徴とする。
【０００９】
この構成では、潤滑剤と筒状成形体との間に水溶性シートを介在しているので、潤滑剤が筒状成形体に浸透することが防止できる。その上、表面に潤滑剤層があるので、肛門に挿入し易い。また、挿入した場合には、体液に接触すると水溶性シートが速やかに溶けて、筒状成形体が速やかに体液に接触し直径方向に膨潤するので、体液が体腔から漏出することが防止できる。
【００１０】
また、アクリル繊維で形成された芯材は繊維物性を維持でき、高吸水性外層が体液を吸水して膨潤するので、筒状成形体は体腔内で挿入位置が保たれて確実に体腔に密着するように膨潤でき、体液漏出を防止する機能に優れている。
【００１１】
請求項２の発明は、請求項１記載の遺体の体腔封止装置において、水膨潤性繊維は、内層がアクリロニトロ系重合体からなり外層が親水性架橋重合体からなるとともに、５〜２００ｃｃ／ｇの水膨潤度を有していることを特徴とする。
【００１２】
請求項３の発明は、請求項１又は２記載の遺体の体腔封止装置において、筒状成形体の先端が先細に形成され、少なくとも該先細部に水溶性シートが被覆され、その水溶性シートの外面に潤滑剤が被覆されているので、肛門に滑らかに軽い力で挿入でき、作業性に優れる。
【００１３】
請求項４の発明は、請求項１ないし３のいずれか１項に記載の遺体の体腔封止装置において、筒状成形体の長さが略２０〜略８０ｍｍであって、直径が略１０〜略２５ｍｍであるので、肛門に対し好適な大きさである。
【００１４】
請求項５の発明は、請求項１ないし４のいずれか１項に記載の遺体の体腔封止装置において、水溶性シートが厚さ略２００μｍ以下であり、体液に接触すると速やかに溶けるシートであるので、体腔に挿入する前は潤滑剤が筒状成形体に浸透することが防止され、体腔に挿入した場合には、該シートがすぐに溶けて、体液がすぐに筒状成形体に接触でき、速やかに該筒状成形体が膨潤する。
【００１５】
請求項６の発明は、請求項１ないし請求項５のいずれか１項に記載の遺体の体腔封止装置において、潤滑剤が水溶性シートの外面に塗布されているので、簡単に低コストで潤滑剤を被覆できる。
【００１６】
本発明で使用する高吸水性繊維としては、外層が親水性架橋重合体で、内層がアクリロニトロ系重合体及び／又は他の重合体からなるものが好ましく、５〜２００ｃｃ／ｇの水膨潤度を有するものが好ましい。特に該高吸水性繊維がカルボキシル基を含むと、アンモニアの吸着性を有するので、臭気などを吸収してくれる。カルボキシル基の含量は０．５〜４．０ｍｍｏｌ／ｇが好ましい。
【００１７】
特に、繊維製筒状成形体としては、アクリル繊維で形成された芯となる内層と、この内層を囲撓するように配設された高吸水性で吸水後膨潤するように加工処理された外層とを有する二重構造の水膨潤性繊維（商品名ランシールーＦ、東洋紡績製）が好適である。
【００１８】
水溶性シートとしては、筒状成形体の周囲を被覆でき、かつそのシートの上に潤滑剤が被覆できるとともに、潤滑剤が筒状成形体に浸透することが防止でき、体液に接触すると速やかに溶けるものであれば、使用可能である。例えば、三菱製紙製の水溶性シートで品番３０MDP、６０MDP、１２０MDP等が使用できる。
【００１９】
潤滑剤としては、人体の肛門に本発明の体腔封止装置、即ち高吸水性繊維成形体を滑らかに挿入できるようにするためにこの成形体の表面を被覆するものであって、グリセリンなどを用いる。
【００２０】
【発明の実施の形態】
本発明の実施例を図面に基づいて説明する。図１は、本発明の体腔封止装置の外観図を示す。図２は、図１の部分拡大図を示す。体腔封止装置１は、円柱状の高吸水性繊維成形体２と、その上に被覆した水溶性シール材としての水溶性シート３を備えていて、さらに、その上に潤滑剤４が被覆されている。高吸水性繊維成形体２の材料としては、アクリル繊維で形成された芯となる内層と、この内層を囲撓するように配設された高吸水性で吸水後膨潤するように加工処理された外層とを有する二重構造の水膨潤性繊維（商品名ランシールーＦ、東洋紡績製）を使用した。この高吸水性繊維成形体２は、直腸用に直径略２０ｍｍ、長さ略６０ｍｍに成形したものを用意し、先端を先細に成形している。
【００２１】
この実施例では、手軽にかつ均等に被覆できる水溶性シート３を使用した。特に、水溶性シート３は、薄くても潤滑剤が繊維成形体２に浸透するのを防止でき、体液が遺漏する前にその体液で速やかに溶けるので好ましい。その水溶性シート３として、三菱製紙製で品番６０MDPのものを使用した。このシート３を高吸水性繊維成形体２の外周に巻きつけた。そして、グリセリンを水溶性シート３の外面に塗布して、潤滑剤層４とした。このグリセリンは、使用直前に塗布した。
【００２２】
このように用意した体腔封止装置１を遺体の肛門に挿入した。その時、表面にグリセリンを塗布していることと、先細に形成していたこととで、軽い力で抜けない位置まで挿入できた。そして、１０時間後に体腔を調べた結果、体液の漏出はなかった。
【００２３】
体腔封止装置１の大きさは、肛門に挿入するのに際して、直径が小さいほど挿入し易いが、挿入後に膨潤して体腔壁に密着する大きさとなるまでに時間がかかるという問題を有する。逆に大きすぎると体腔へ挿入しにくい。したがって、直径を略１０〜略２５ｍｍとすることが好ましい。また、長さが短いほど挿入し易いが、短すぎると膨潤した際の容積が不足し封止機能に劣るので、長さが略２０〜略８０ｍｍとすることが好ましい。
【００２４】
高吸水性繊維成形体２は、直径が約５倍以上、好ましくは約１０倍以上に膨れ、軸方向にはあまり膨潤しないものが、体液が遺漏する前に体腔を速やかにシールできるので好ましい。特に、成形体２の材料としては、アクリル繊維で形成された芯材である内層及びこれを囲撓するように形成された高吸水性外層を有する２層構造の多孔質繊維体が、繊維の物性を芯材で保持し、かつ外層が体液を吸収して径方向に速やかに約５倍以上に膨潤するので適している。
【００２５】
水溶性シート３は、潤滑剤４が繊維成形体２に浸透するのを防止でき、かつ繊維成形体２の表面に被覆できれば、できるだけ薄いほうが好ましいが、実用的には厚さ略２００μｍ以下であることが好ましい。
【００２６】
繊維成形体２の先端を先細に形成するのは、体腔封止装置１を体腔に挿入し易くするためであり、先細の形状は上記実施例に限られるものではない。例えば、図３に見られるように、一方からのみ、傾斜面を形成したものであっても良い。また、円錐状に形成しなくて２面、３面、４面等の傾斜面を形成したものであっても良い。また、先端が断面楕円形に形成されたものであっても良い。なお、傾斜面を形成した場合に、先端の体腔との対向面に少しフラット面が残っても良い。また、傾斜面を形成した先端部分に細い棒体が残るようにしたものであっても良い。傾斜面の傾斜角度は一段であっても良く、また、傾斜角度を異ならせて多段に形成しても良い。
【００２７】
なお、この体腔封止装置１は、遺体処理に必要な用品、例えば、手袋、ガーゼ、脱脂綿、消毒剤、消臭剤、おしめ、他の体腔封止装置等と一緒にして、キットとして用意しても良い。このようにすれば、遺体処理作業がスムーズに行われるので、好ましい。
【００２８】
【発明の効果】
請求項１の発明によると、体腔封止装置が高吸水性繊維からなる筒状成形体と、該筒状成形体の外周に被覆された水溶性シートと、該水溶性シートの上に被覆された潤滑剤とからなるので、遺体の肛門からの体液等の遺漏を効果的に防止できる。
【００２９】
また、筒状成形体がアクリル繊維で形成された芯材である内層及びこれを囲撓するように形成された高吸水性外層を有する２層構造の多孔質繊維体からなるので、体腔としての肛門への挿入後、筒状成形体が体液を吸収して膨潤するとともに体腔内の所定位置に留まり、もって、筒状成形体を体腔壁に密着させて、確実に体腔を封止できる。
【００３０】
さらに、筒状成形体の先端が先細に形成されたものでは、軽い力で、体腔の所定位置に挿入でき、経験の少ない作業者でも安定して作業できる。特に作業が簡易・迅速に行えるので、作業中に体液が漏出することも防止でき、この作業に従事する従業者あるいは看護人や周囲の者への体内物質遺漏による感染を防止でき、衛生的である。
【図面の簡単な説明】
【図１】本発明の一実施例を示す外観図である。
【図２】体腔封止装置の部分断面の拡大図を示す。
【図３】本発明の別の実施例を示し、図１と同様な図である。
【符号の説明】
１  体腔封止装置
２  繊維成形体（筒状成形体）
３  水溶性シート
４  潤滑剤
【図１】
0003586231.tif 000002
【図２】
0003586231.tif 000003
【図３】
0003586231.tif 000004